(57)【要約】【課題】フィルタエレメントの交換時期にはそのフィルタエレメントのみの交換が可能で、コア等は廃棄せずにそのままを再利用することができ、環境対策や省資源の点で有利となり、また使用時にはろ材の変形や破壊を防止することができるフィルタ装置を提供する。【解決手段】筒状に形成されたろ材２の両端側の端面にエンドプレート３，４を取り付けてなるフィルタエレメント１ａ，１ｂと、このフィルタエレメント１ａ，１ｂに対してろ材２の内側に脱着可能に設けられるコアとしての内筒１０と、各エンドプレート３，４に対してねじの螺合による締め込み結合手段を介してフィルタエレメント１ａ，１ｂの軸方向に移動調整可能にかつ脱着可能に結合され、この結合により内筒１０と当接してろ材２の軸方向の動きを規制する端面プレート１４，１５とを具備する。【選択図】　　図１
2004081997.tif 000002
【特許請求の範囲】
【請求項１】
筒状に形成されたろ材の両端側の端面にエンドプレートを取り付けてなるフィルタエレメントと、
このフィルタエレメントに対して前記ろ材の周面に対向するように脱着可能に設けられる筒状のコアと、
前記各エンドプレートに対して締め込み結合手段を介してフィルタエレメントの軸方向に移動調整可能にかつ脱着可能に結合され、この結合により前記コアと係合して前記ろ材の軸方向の動きを規制する端面プレートと、
を具備することを特徴とするフィルタ装置。
【請求項２】
前記フィルタエレメントを複数有し、これらフィルタエレメントが軸方向に連結するように互いに結合され、これらフィルタエレメントの周面に対向するようにコアが設けられ、連結された前記一端側のフィルタエレメントのエンドプレートおよび他端側のフィルタエレメントのエンドプレートにそれぞれ締め込み結合手段を介して端面プレートが結合され、これら端面プレートが前記コアに係合して前記各フィルタエレメントのろ材の軸方向の移動が規制されることを特徴とする請求項１に記載のフィルタ装置。
【請求項３】
前記締め込み結合手段は、前記エンドプレートに形成された雌ねじと、前記端面プレートに形成された雄ねじとの螺合により構成されていることを特徴とする請求項１に記載のフィルタ装置。
【請求項４】
前記コアは、フィルタエレメントのろ材の内周面に対向する内筒、またはろ材の外周面に対向する外筒、あるいはその内筒と外筒との双方により構成されていることを特徴とする請求項１ないし３のいずれかに記載のフィルタ装置。
【発明の詳細な説明】
【０００１】
【発明の属する技術分野】
この発明は、例えば油圧回路等の流体循環系において、その流体中の異物や混入物、汚染物質等を捕捉するために用いられるフィルタ装置に関する。
【０００２】
【従来の技術】
この種のフィルタ装置は、流入口および流出口を備えるタンクの内部に収容して使用される。このフィルタ装置は、フィルタエレメントを備え、このフィルタエレメントは、例えばひだ折りされたろ紙あるいは不織布等を円筒状に形成してなるろ材と、このろ材の両端側の端面に取り付けられたエンドプレートとで構成されている。
【０００３】
そしてフィルタエレメントには、ろ材の内側または外側、あるいはその双方に設けられる筒状のコアが備えられている。コアは、ろ材を保護してその変形を防止する部材で、ろ材の両端部に取り付けられたエンドプレート間に設けられている。
【０００４】
流体循環系を流れる流体は、前記タンクの流入口からその内部に流入するとともに、フィルタエレメントのろ材を通過してタンクの流出口から流出する。そして、流体がろ材を通過する際に、その流体中の異物等がろ材により捕捉されて除去される。
【０００５】
従来のフィルタエレメントは、ろ材の両端部にエンドプレートが接着剤により固定され、これらエンドプレート間にコアが設けられ、このコアの両端部が前記エンドプレートに接着剤で固定され、一体的なユニット品として組み立てられている。
【０００６】
フィルタエレメントとしては、流体がろ材の外側から内側に向かって流れるタイプの場合と、流体がろ材の内側から外側に向かって流れるタイプの場合とがある。前者のタイプにおいては、ろ材の内側にコアとして内筒が設けられ、後者のタイプにおいては、ろ材の外側にコアとして外筒が設けられる。
【０００７】
ろ材を通過するように流体が流れる際には、ろ材の外面側と内面側との間の圧力差により、ろ材の径方向にろ材を変形させる力が加わる。前者のタイプのフィルタエレメントでは、ろ材にその内側に向く力が加わるが、この力が前記内筒により受け止められてその変形や破壊が防止され、後者のタイプのフィルタエレメントでは、ろ材にその外側に向く力が加わるが、この力が前記外筒により受け止められてその変形や破壊が防止される。
また、流体が流れる際には、ろ材の外側と内側との間の圧力差でろ材にその軸方向に向く力が加わり、この軸方向の力でろ材が変形しようとするが、この軸方向の力はエンドプレート間に設けられた内筒あるいは外筒により受け止められ、その変形が防止される。
【０００８】
【発明が解決しようとする課題】
ところで、従来のフィルタ装置においては、フィルタエレメントの交換時期がきたときにフィルタ装置をケース内から取り出し、フィルタエレメントをコアごと廃棄処分するようにしている。しかし最近においては、環境問題あるいは資源節約等の観点から、コアを廃棄せず、フィルタエレメントのみを廃棄することができるようなフィルタ装置が望まれている。
【０００９】
この場合、フィルタエレメントに対してコアを分離可能に構成すればよいわけであるが、フィルタエレメントに対してコアが分離可能であると、その組立時のばらつきや、各部材自体の寸法上のばらつき等により、フィルタエレメントのエンドプレートとコアとの間に隙間が生じてしまうことがある。
従来のフィルタ装置のように、フィルタエレメントのエンドプレートにコアを接着剤で固定して一体的なユニットとして組み立てる場合には、各部材の寸法上のばらつきをその接着剤の塗布厚等で吸収することができるが、接着材を用いず、フィルタエレメントに対してコアを分離可能とする場合には、各部材の寸法上のばらつきでフィルタエレメントのエンドプレートとコアとの間に隙間が生じてしまうことがある。そしてこのような隙間が生じると、ろ材に軸方向の力が加わった際に、その隙間分、ろ材に圧縮や伸びが生じて変形したり破壊してしまう恐れがある。
この発明はこのような点に着目してなされたもので、その目的とするところは、フィルタエレメントの交換時期にはそのフィルタエレメントのみの交換が可能で、コア等は廃棄せずにそのままを再利用することができ、環境対策や省資源の点で有利となり、また使用時にはろ材の変形や破壊を防止することができるフィルタ装置を提供することにある。
【００１０】
【課題を解決するための手段】
請求項１の発明は、筒状に形成されたろ材の両端側の端面にエンドプレートを取り付けてなるフィルタエレメントと、このフィルタエレメントに対して前記ろ材の周面に対向するように脱着可能に設けられる筒状のコアと、前記各エンドプレートに対して締め込み結合手段を介してフィルタエレメントの軸方向に移動調整可能にかつ脱着可能に結合され、この結合により前記コアと係合して前記ろ材の軸方向の動きを規制する端面プレートとを具備することを特徴としている。
【００１１】
そして、請求項２の発明においては、前記フィルタエレメントを複数有し、これらフィルタエレメントが軸方向に連結するように互いに結合され、これらフィルタエレメントの周面に対向するようにコアが設けられ、連結された前記一端側のフィルタエレメントのエンドプレートおよび他端側のフィルタエレメントのエンドプレートにそれぞれ締め込み結合手段を介して端面プレートが結合され、これら端面プレートが前記コアに係合して前記各フィルタエレメントのろ材の軸方向の移動が規制されることを特徴としている。
【００１２】
請求項３の発明においては、前記締め込み結合手段が、前記エンドプレートに形成された雌ねじと、前記端面プレートに形成された雄ねじとの螺合により構成されていることを特徴としている。
【００１３】
請求項４の発明においては、前記コアが、フィルタエレメントのろ材の内周面に対向する内筒、またはろ材の外周面に対向する外筒、あるいはその内筒と外筒との双方により構成されていることを特徴としている。
【００１４】
【発明の実施の形態】
以下、この発明の実施形態について図面を参照して説明する。
図１にはこの発明の第１の実施形態の係るフィルタ装置Ｆを示してあり、このフィルタ装置Ｆにおいては、同一構造をなす２つのフィルタエレメント１ａ，１ｂが用いられている。
【００１５】
図２には、その２つのフィルタエレメント１ａ，１ｂを切り離して単品とした状態を示してある。
【００１６】
各フィルタエレメント１ａ，１ｂは、例えばひだ折りされたろ紙あるいは不織布等を円筒状に形成してなるろ材２と、このろ材２の両端側の端面に取り付けられたエンドプレート３，４とで構成されている。
【００１７】
エンドプレート３，４はリング状をなし、ろ材２の端面に接着剤で固定されている。ろ材２の上端側の端面に取り付けられた上側のエンドプレート３には、内周面に雌ねじ５が形成され、ろ材２の下端側の端面に取り付けられた下側のエンドプレート４には、外周面に雄ねじ６が形成されている。
【００１８】
そして一方のフィルタエレメント１ａにおける下側のエンドプレート４の雄ねじ６が他方のフィルタエレメント１ｂにおける上側のエンドプレート３の雌ねじ５にねじ込まれ、その相互の締め付けにより一方のフィルタエレメント１ａと他方のフィルタエレメント１ｂとが上下に重なるように互いに連結されている。
【００１９】
互いに連結されたフィルタエレメント１ａ，１ｂの内側にはその両者のフィルタエレメント１ａ，１ｂに跨るようにコアとしての内筒１０が脱着可能に挿入されている。
【００２０】
図３には、フィルタエレメント１ａ，１ｂ内から内筒１０を取り出した状態を示してある。この内筒１０は、フィルタエレメント１ａ，１ｂの各ろ材２の内周面にほぼ接して対向する円筒状をなし、その周面の全域には多数の小孔１１が均一に形成されている。
【００２１】
一方のフィルタエレメント１ａにおける上側のエンドプレート３、および他方のフィルタエレメント１ｂにおける下側のエンドプレート４には、それぞれ端面プレート１４，１５が取り付けられている。
【００２２】
図４には上側の端面プレート１４をフィルタエレメント１ａから取り外した状態を示してある。この上側の端面プレート１４は平面形状が円形で、その外周面に段部１７を有し、この段部１７を境とする上部側の外周面に雄ねじ１８が形成されている。そしてこの端面プレート１４の下面の周縁部が押し部１９となっている。
【００２３】
端面プレート１４の中央部には流通口２０が形成され、この流通口２０に対して安全弁としてのリリーフ弁２１が設けられている。このリリーフ弁２１は、端面プレート１４に取り付けられた支持軸２２と、この支持軸２２に摺動自在に装着された弁体２３と、この弁体２３を弾性的に付勢したスプリング２４とを有し、通常時には流通口２０が弁体２３で密閉され、流通口２０内の圧力が一定以上の異常圧力に上昇したときに弁体２３がスプリング２４に抗して移動して流通口２０が開放されて流体が流通するようになっている。また、端面プレート１４の上面にはグリップ２５が一体的に設けられている。
【００２４】
図５には、下側の端面プレート１５をフィルタエレメント１ｂから取り外した状態を示してある。この下側の端面プレート１５は、円形の皿形状をなし、その周縁の立上り壁３０の内周面に雌ねじ３１が形成されている。そしてこの端面プレート１５の中央部に開口３２が形成されている。
【００２５】
端面プレート１５は、雌ねじ３１を下側のエンドプレート４の雄ねじ６に螺合して締め込むことによりそのエンドプレート４に取り付けられている。すなわち、端面プレート１５は、前記雌ねじ３１と雄ねじ６とで構成される締め込み結合手段を介してフィルタエレメント１ａ，１ｂの軸方向に移動調整可能にかつ脱着可能にエンドプレート４に取り付けられている。そしてこの端面プレート１５によりフィルタエレメント１ａ，１ｂ内に挿入された前記内筒１０が支持されている。
【００２６】
また、上側の端面プレート１４は、雄ねじ１８を上側のエンドプレート３の雌ねじ５に螺合し、押し部１９が前記内筒１０の上端の端面に圧接するまで締め込むことによりそのエンドプレート３に取り付けられている。すなわち、端面プレート１４は、前記雄ねじ１８と雌ねじ５とで構成される締め込み結合手段を介してフィルタエレメント１ａ，１ｂの軸方向に移動調整可能にかつ脱着可能にエンドプレート３に取り付けられている。
【００２７】
このように構成されたフィルタ装置Ｆは、図６に示すようにタンク３５内に収容されて実際の使用に供される。タンク３５は収容部３６を有し、この収容部３６内にフィルタ装置Ｆが収容されている。タンク３５は、外部から収容部３６内に通じる流入口３７、および収容部３６からタンク３５内を経て外部に通じる流出口３８を備えている。
【００２８】
収容部３６内に収容されたフィルタ装置Ｆは、下側の端面プレート１５における開口３２が流出口３８に接続されて内筒１０内がその流出口３８を介してタンク３５内に通じる状態となっている。
【００２９】
収容部３６の上端の開口部にはカバー４０が複数のボルト４１を介して脱着可能に取り付けられ、このカバー４０の下面とフィルタ装置Ｆの上端との間にスプリング４２が設けられ、このスプリング４２によりフィルタ装置Ｆが下方に弾性的に押圧されている。フィルタ装置Ｆの下側の端面プレート１５の周縁部にはパッキング４３が装着され、このパッキング４３が前記スプリング４２による弾性力で収容部３６の内底面に密着し、これによりフィルタ装置Ｆの外側と内側とが液密に保たれている。
【００３０】
フィルタ装置Ｆの外側には流入口３７から流体が順次流入する。そしてこの流体がフィルタ装置Ｆの各フィルタエレメント１ａ，１ｂにおけるろ材２および内筒１０の小孔１１を通してろ材２の内側に流入する。そして流体がろ材２を通過する際に、その流体中の異物等がろ材２により捕捉されて除去される。ろ材２の内側に流入した流体は、流出口３８からタンク３５内を経て外部に順次流出する。
【００３１】
流体がフィルタ装置Ｆの外側から内側に流入する際には、その外側と内側との圧力差でろ材２に径方向に向く力、すなわちろ材２を径方向に圧縮させる力が加わるが、この力は内筒１０により受け止められ、したがってろ材２の径方向の変形や破壊が防止される。
【００３２】
また、流体がフィルタ装置Ｆの外側から内側に流入する際には、その外側と内側との圧力差でろ材２に軸方向の力、すなわちろ材２を軸方向に圧縮する力が加わる。
【００３３】
ここで、ろ材２のエンドプレート３，４には端面プレート１４，１５がねじ込まれ、これら端面プレート１４，１５が内筒１０に当接しており、このためろ材２に加わる軸方向の力は前記内筒１０により受け止められ、したがってろ材２が圧縮されることはなく、ろ材２の変形や破壊が防止される。
【００３４】
もし、フィルタ装置Ｆの組立上や寸法上のばらつきで端面プレート１４の押し部１９と内筒１０の上端の端面との間に隙間が生じているような場合には、ろ材２に加わる軸方向の力で端面プレート１４がその隙間分だけ下方に変位し、したがってろ材２が圧縮されて変形したり破壊されてしまう。
しかしながら、端面プレート１４はエンドプレート３の雌ねじ５にねじ込まれ、また端面プレート１５はエンドプレート４の雌ねじ６ねじ込まれてそれぞれエンドプレート３，４に結合されており、このためフィルタ装置Ｆに組立上や寸法上のばらつきがあっても、そのばらつきをそのねじ込み量により吸収してそのばらつきに拘わらず、端面プレート１４，１５を内筒１０の端面に当接させてその間の隙間をなくすことができ、したがってフィルタ装置Ｆに組立上や寸法上のばらつきがあってもろ材２の軸方向の圧縮を抑えてその変形や破壊を防止することができる。
【００３５】
一方、フィルタ装置Ｆの使用の経過に伴い、フィルタエレメント１ａ，１ｂにおけるろ材２の性能が低下してその交換時期がきたときには、まずボルト４１を抜き取り、カバー４０を外して収容部３６内からフィルタ装置Ｆを取り出す。
【００３６】
次に、フィルタ装置Ｆの各エンドプレート３，４にねじ込まれている端面プレート１４，１５をそれぞれ緩め方向に回してそのエンドプレート３，４から取り外す。さらに、フィルタエレメント１ａ，１ｂ内に挿入されている内筒１０を抜き取る。
【００３７】
すなわち、フィルタ装置Ｆをフィルタエレメント１ａ，１ｂと各端面プレート１４，１５と内筒１０とに分解する。そしてそのフィルタエレメント１ａ，１ｂのみを廃棄し、残りの端面プレート１４，１５と内筒１０はそれぞれ洗浄して再利用する。
【００３８】
このように、フィルタエレメント１ａ，１ｂが交換時期に達したときには、そのフィルタエレメント１ａ，１ｂのみを廃棄して端面プレート１４，１５および内筒１０は廃棄せずにそのまま再利用することができ、このため廃棄物量を削減することができ、環境問題や資源節約等に有利となる。
【００３９】
前記実施形態においては、２つのフィルタエレメント１ａ，１ｂを組み合わせて用いるようにしたが、図７に第２の実施形態として示すように、一つのフィルタエレメント１のみを用いることも可能である。
【００４０】
この場合には、そのフィルタエレメント１の高さに応じる寸法の内筒１０をその内側に挿入する。そして、フィルタエレメント１の下側のエンドプレート４に端面プレート１５をねじ込んで取り付けるとともに、上側のエンドプレート３に端面プレート１４をねじ込んで取り付け、これら端面プレート１４，１５で前記内筒１０を挟み付けてフィルタ装置Ｆを構成する。
このような構成のフィルタ装置Ｆにおいても、前記実施形態の場合と同様の効果を奏する。
【００４１】
図８には第３の実施形態を示してあり、この実施形態は流体がフィルタ装置Ｆの内側から外側に向かって流れる場合の例である。この場合のフィルタ装置Ｆにおいては、互いに連結されたフィルタエレメント１ａ，１ｂの外側に、その両者のフィルタエレメント１ａ，１ｂに跨るようにコアとしての外筒５０が挿入されている。
【００４２】
この外筒５０は、フィルタエレメント１ａ，１ｂの各ろ材２の外面にほぼ接して対向する円筒状をなし、その周面に多数の小孔５１がその全域に亘って均等的に形成されている。
【００４３】
一方のフィルタエレメント１ａにおける上側のエンドプレート３、および他方のフィルタエレメント１ｂにおける下側のエンドプレート４には、それぞれ端面プレート５５，５６が取り付けられている。
【００４４】
端面プレート５５の下面には、円環状の凹部５７が形成され、この凹部５７の周面に雄ねじ５８が形成され、この雄ねじ５８を上側のエンドプレート３の雌ねじ５に螺合して締め込むことにより端面プレート５５がそのエンドプレート３に取り付けられている。
さらに、この端面プレート５５の外周縁には下側に向って突出する周壁５９が形成され、この周壁５９の内面に雌ねじ６０が形成されている。前記外筒５０の上端部の外周面には雄ねじ６１が形成され、この雄ねじ６１が前記端面プレート５５における周壁５９の雌ねじ６０に螺合されている。
【００４５】
フィルタエレメント１ｂの下側に設けられた端面プレート５６は、外周縁に上側に向って突出する周壁６５を有し、この周壁６５の内周面に雌ねじ６６が形成されている。また、前記周壁６５の内側には段部６７が形成され、この段部６７の内周面に雌ねじ６８が形成されている。
【００４６】
そして前記雌ねじ６８を下側のエンドプレート４の雌ねじ６に螺合して締め込むことにより端面プレート５６がそのエンドプレート４に取り付けられている。
前記外筒５０の下端部の外周面には雄ねじ６９が形成され、この雄ねじ６９が前記端面プレート５６における周壁６５の雌ねじ６６に螺合されている。
【００４７】
このように構成されたフィルタ装置Ｆは、タンク３５の収容部３６内に収容される。この場合のタンク３５は、収容部３６の底部に流入口３７を、周側部に流出口３８を有し、流入口３７がフィルタエレメント１ａ，１ｂの内部に通じ、収容部３６内が流出口３８を通して外部に通じている。
【００４８】
フィルタ装置Ｆの内側には流入口３７から流体が順次流入する。そしてこの流体がフィルタ装置Ｆの各フィルタエレメント１ａ，１ｂにおけるろ材２および外筒５０の小孔５１を通してろ材２の外側に流出する。流体がろ材２を通過する際には、その流体中の異物等がろ材２により捕捉されて除去される。ろ材２の外側に流出した流体は、流出口３８から外部に順次流出する。
【００４９】
流体がフィルタ装置Ｆの内側から外側に流出する際には、その内側と外側との圧力差でろ材２に径方向に向く力、すなわちろ材２を径方向に膨出させる力が加わるが、この力は外筒５０により受け止められ、したがってろ材２の径方向の変形や破壊が防止される。
【００５０】
また、流体がフィルタ装置Ｆの内側から外側に流出する際には、その内側と外側との圧力差でフィルタエレメント１ａ，１ｂのろ材２に軸方向の力、すなわちろ材２を伸長させる力が加わる。
【００５１】
ここで、もしろ材２に加わる軸方向の伸長力で端面プレート５５，５６が上下に変位することがあれば、その変位でろ材２が軸方向に伸びるように変形したり破壊されてしまう。
【００５２】
ところが、端面プレート５５，５６は外筒５０によりその上下の動きが規制されており、したがって端面プレート５５，５６が上下に変位することがなく、このためろ材２の変形や破壊が防止される。
【００５３】
端面プレート５５，５６はフィルタエレメント１ａ，１ｂのエンドプレート３，４および外筒５０に対してねじの螺合による締め込み結合手段でそのエンドプレート３，４および外筒５０に結合されており、このためフィルタ装置Ｆの組立上や寸法上のばらつきがあっても、それをそのねじ込み量で調整して吸収し、適正に組み立てることができる。
【００５４】
一方、フィルタ装置Ｆの使用の経過に伴い、フィルタエレメント１ａ，１ｂにおけるろ材２の性能が低下してその交換時期がきたときには、まずボルト４１を抜き取り、カバー４０を外して収容部３６内からフィルタ装置Ｆを取り出す。
【００５５】
次に、フィルタ装置Ｆの各エンドプレート３，４にねじ込まれている端面プレート５５，５６をそれぞれ緩め方向に回してそのエンドプレート３，４から取り外す。端面プレート５５，５６を緩め方向に回したときには、端面プレート５５，５６と外筒５０との結合も外れる。したがって、端面プレート５５，５６をエンドプレート３，４から取り外した後に、フィルタエレメント１ａ，１ｂの外周から外筒５０を抜き取る。
【００５６】
すなわち、フィルタ装置Ｆをフィルタエレメント１ａ，１ｂと各端面プレート５５，５６と外筒５０とに分解する。そしてそのフィルタエレメント１ａ，１ｂのみを廃棄し、残りの端面プレート５５，５６と外筒５０は洗浄して再利用する。
【００５７】
このように、フィルタエレメント１ａ，１ｂが交換時期に達したときには、そのフィルタエレメント１ａ，１ｂのみを廃棄して端面プレート５５，５６および外筒５０は廃棄せずにそのまま再利用することができ、このため廃棄物量を削減することができ、環境問題や資源節約等に有利となる。
【００５８】
なお、前記各実施形態においては、フィルタエレメントのエンドプレートに対して、ねじの螺合による締め込み結合手段で端面プレートをそのフィルタエレメントの軸方向に移動調整可能にかつ脱着可能に結合するようにしたが、端面プレートをエンドプレートに回動しながら締め込んで結合させるバヨネット機構等の締め込み結合手段で端面プレートをエンドプレートに結合させるような場合であってもよい。
【００５９】
また、コアとしての内筒や外筒は、フィルタエレメントの両端側に設けられるエンドプレートのいずれか一方に一体的に設けるような構成とすることも可能である。
【００６０】
さらに、前記実施形態においては、フィルタエレメントの内側にコアとしての内筒を設ける場合か、あるいはフィルタエレメントの外側にコアとしての外筒を設ける場合かのいずれかとしたが、フィルタエレメントの内側と外側とにコアとしての内筒と外筒とを併せて設けるような構成とすることも可能である。
【００６１】
【発明の効果】
以上説明したようにこの発明によれば、フィルタエレメントの交換時期にはそのフィルタエレメントのみの交換が可能で、コア等は廃棄せずにそのままを再利用することができ、環境対策や省資源の点で有利となり、またフィルタ装置の組立上や寸法上のばらつきがあっても、そのばらつきを締め込み結合手段により吸収し、ろ材の軸方向の動きを的確に規制してろ材の変形や破壊を防止することができる。
【図面の簡単な説明】
【図１】この発明の第１の実施形態に係るフィルタ装置の組立状態の一部破断の正面図。
【図２】そのフィルタ装置におけるフィルタエレメントの一部破断の正面図。
【図３】そのフィルタ装置のフィルタエレメントから一方の端面プレートを取り外したときの状態を示す一部破断の正面図。
【図４】そのフィルタ装置のフィルタエレメントからコアとしての内筒を取り外したときの状態を示す一部破断の正面図。
【図５】そのフィルタ装置のフィルタエレメントから他方の端面プレートを取り外したときの状態を示す一部破断の正面図。
【図６】そのフィルタ装置をタンク内に収容した使用時の状態を示す断面図。
【図７】この発明の第２の実施形態に係るフィルタ装置を示す一部破断の正面図。
【図８】この発明の第３の実施形態に係るフィルタ装置の使用時の状態を示す断面図。
【符号の説明】
１，１ａ，１ｂ…フィルタエレメント
２…ろ材
３，４…エンドプレート
５…雌ねじ
６…雄ねじ
１０…内筒
１４，１５…端面プレート
１８…雄ねじ
３１…雌ねじ
５０…外筒
５５，５６…端面プレート
５８…雄ねじ
【図１】
2004081997.tif 000003
【図２】
2004081997.tif 000004
【図３】
2004081997.tif 000005
【図４】
2004081997.tif 000006
【図５】
2004081997.tif 000007
【図６】
2004081997.tif 000008
【図７】
2004081997.tif 000009
【図８】
2004081997.tif 000010